Podtech/llm-jp-corpus-v4-ja_patent huggingface dataset:
(57)【要約】　　　（修正有）【課題】これまで広く用いられているネズミ捕獲器は、ネズミが餌を咥えると金具に連動して入り口のシヤッタ−が閉じる方式であった。しかし，この方式は連動動作がスム―ズに行われず捕獲に失敗する事が多かった。最近光センサ−を用いるネズミ捕獲器があるがこれはトンネル構造の床を設け２個のセンサを用いたり、エアコンプレッサ−等も使用しており大型設備で，場所と多額な費用が必要になり一般家庭には不向きである。【解決手段】捕獲箱１の一側面に開閉可能なシャッタ−を設けた密閉可能な箱状のネズミ捕獲器であって、前記捕獲箱の上部に赤外線の変化を感知して作動する光センサ―８を置きネズミが捕獲箱にはいると餌を食べなくても電源が入り、捕獲器入り口のシャッタ―２が瞬時に閉じる駆動部とからなる光センサ―を用いたネズミ捕獲器。【選択図】　図１
0003100008.tif 000002
【実用新案登録請求の範囲】
【請求項１】
一側面に開閉可能なシャッタ−を設けた密閉可能な箱状のネズミ捕獲器であって、捕獲箱の上部に赤外線の変化を感知して作動する光センサ―を置きネズミが前記捕獲箱にはいると箱内の赤外線の変化で自動的に電源が入り、前記捕獲器入り口の前記シャッタ―が瞬時に閉じる駆動部とからなることを特徴とした光センサ―を用いたネズミ捕獲器。
【考案の詳細な説明】
【０００１】
【考案の属する技術分野】
本考案は餌に誘導され捕獲器の中に入ったネズミが光センサ−ビ−ムに反応して電気的に一瞬のうちにシャッタ−がおりネズミを捕獲するネズミ捕獲器に関するものである。
【０００２】
【従来の技術】
これまでのネズミ捕獲器は箱内で金具につるした餌をネズミがくわえた際に金具の動きに連動して捕獲器の入り口のシャッタ―が閉じる構造下で広く市販されている。更に近年では光センサ−を用いてネズミを認識すると床を落下させて捕獲する装置が提案されている。（特許文献１参照）
【０００３】
【特許文献１】
特開２０００−２５３７９９号公報　（第３−４頁、図１，図２）
【０００４】
【考案が解決しようとする課題】
従来技術のうち金具式捕獲器では餌保持金具と入り口のシャッタ−閉鎖の連動が必ずしもうまく行かず確実に捕獲することが出来なかった。即ち、ネズミが餌を咥えても小型ネズミは咥える力が弱く、又，大型ネズミでも少し餌をかじる程度では支持具の動きが小さくなり連動して閉まる筈の入り口のシャッタ―が落下せず、ネズミを取り逃がす事態となっていた。このような入り口のシャッタ―の動きを機械的に連動させる構造では捕獲が十分でないと考えられる。また、前述の特許文献１に示された光センサ−を用いる装置では全体をトンネル構造として落下式床等を設置するなど構造が複雑でしかも大型であるために会社工場等には適しているが一般家庭向きではない。そこで小型軽量で経費も少なく、しかもネズミを確実に捕獲するネズミ捕獲器が望まれていた。
【０００５】
【課題を解決するための手段】
以上の課題のもとに本考案は捕獲箱の一側面に開閉可能なシャッタ−を設けた密閉可能な箱状のネズミ捕獲器であって、前記捕獲箱の上部に赤外線の変化を感知して作動する光センサ―を置きネズミが前記捕獲箱にはいると餌を食べなくても電源が入り、捕獲器入り口の前記シャッタ―が瞬時に閉じる駆動部とからなることを特徴とした光センサ―を用いたネズミ捕獲器である。
【０００６】
【考案の実施の形態】
以下本考案の実施の形態となる実施例を示す図面を参照して説明する。
図１は本発明に係るネズミ捕獲器の一実施例を斜視図で示し、図２は、その電気信号の系統図を示している
捕獲器となる捕獲箱１の入り口のシャッタ−２には瞬時に落下出来る程度の重量のある透明アクリル板を使い底部は板を張リ、その他の部分は金網を張る。シャッター２にはカンヌキ４を通す穴１２を設ける。
【０００７】
捕獲箱１の天井金網の上には木板３を重ね、木板３の上にはカンヌキ４、電磁石５、整流器６、変圧器７、光センサ−８、捕獲通報ブザ−９、等が固定してある。また、この木板３は捕獲箱１と切り離しが出来るので捕獲したネズミの処理が簡単に出来る。
【０００８】
以下ネズミを捕獲する状況を示す。先ず入り口シャッターを引き上げてカンヌキ４を通す穴１２にカンヌキ４を通してビームエリア内１１に餌１０を置きネズミのよく通る場所にセットして電源を入れる。ネズミが餌１０に誘導され捕獲箱１に入るとセンサ−８の信号を受けて変圧器７に電圧がかかり、整流器６で直流になり電磁磁石５がカンヌキ４を瞬時にシヤッタ−２から引き抜きシャツタ−２は落下する。即ち餌を咥える力が弱くても、また，咥えなくても捕獲箱１内にネズミが侵入するだけでこの動きを電気的に捉えて入り口のシャッタ―２に信号を送り、これを閉める装置を作成した。
【０００９】
【考案の効果】
ネズミを捕獲するのに光センサ−を用い、ネズミが餌に引かれて捕獲箱にはいると餌をくわえなくてもそのビ―ムに捕捉されて瞬時に入り口のシャッタ−が落ち確実にネズミを捕獲出来る。又、部品数も少なく安価な経費で一般家庭向きの小型軽量のネズミ捕獲器を製作することが出来る。
【図面の簡単な説明】
【図１】本説明に係るネズミ捕獲器の斜視図
【図２】本説明に係るネズミ捕獲器の電気信号の系統図
【符号の説明】
１　　捕獲箱
２　　入り口のシャッタ−
３　　木板
４　　カンヌキ
５　　電磁石
６　　整流器
７　　変圧器
８　　光センサ−
９　　捕獲通報ブザ−
１０　ネズミの餌
捕獲感知エリア
穴
【図１】
0003100008.tif 000003
【図２】
0003100008.tif 000004
(57)【要約】
【課題】　キーボードへの塵埃などの侵入や細菌、ウィルスの付着を防止することにより、キーボードの使用寿命を延長するキーボードカバーを提供する。
【解決手段】　矩形の軟質フィルムからなるカバー（１０）と、該カバー（１０）の四辺に設けられる強化辺（２０）とを有することを特徴とする。
【選択図】　図２
0003100075.tif 000002
【実用新案登録請求の範囲】
【請求項１】
矩形の軟質フィルムからなるカバー(１０)と、該カバー（１０）の四辺に設けられる強化辺（２０）とを有することを特徴とするキーボードカバー。
【請求項２】
強化辺（２０）は帯状であることを特徴とする請求項１に記載のキーボードカバー。
【請求項３】
強化辺（２０）の下面に両面テープ（３０）が設けられていることを特徴とする請求項１又は２に記載のキーボードカバー。
【考案の詳細な説明】
【技術分野】
【０００１】
　本考案は、特にキーボードへの塵埃などの侵入や細菌、ウィルスの付着を防止することにより、キーボードの使用寿命を延長するキーボードカバーに関するものである。
【背景技術】
【０００２】
　キーボードは入力装置であり、パソコンやレジスターなどに広く使用されている。キーボードを使用する際、手や指に付着している汚れや細菌、ウィルスがキーボードの入力キーに付着することにより、「重症急性呼吸器症候群（ＳＡＲＳ）」などの感染症に感染する恐れがあった。さらに、空気中の塵埃が入力キーの隙間に侵入することにより、入力キーの接触不良が起こり、キーボードの使用寿命が短縮してしまうという問題があった。
【０００３】
　上記問題を鑑み、その後、台湾実用新案公告第３４２９６５号「軟質キーボードカバー」が案出された。
【０００４】
　しかしながら、前記軟質のキーボードカバーはキーボードの入力キーの形状に合わせて、所定の厚さを有する軟質の樹脂から製造される。このため、収納時には体積が大きくなって嵩張ってしまい、持ち運びが非常に不便であった。
【考案の開示】
【考案が解決しようとする課題】
【０００５】
　そこで、案出されたのが本考案であって、収納時に嵩張らないよう体積を小さくすることができて、持ち運びに便利なキーボードカバーを提供することを目的としている。
【課題を解決するための手段】
【０００６】
　本願の請求項１の考案は、矩形の軟質フィルムからなるカバー(１０)と、該カバー（１０）の四辺に設けられる強化辺（２０）とを有することを特徴とするキーボードカバーである。
【０００７】
　また、本願の請求項２の考案は、強化辺（２０）は帯状であることを特徴とする請求項１に記載のキーボードカバーである。
【０００８】
　また、本願の請求項３の考案は、強化辺（２０）の下面に両面テープ（３０）が設けられていることを特徴とする請求項１又は２に記載のキーボードカバーである。
【考案の効果】
【０００９】
　本考案によれば、キーボードに塵埃などが侵入したり、細菌、ウィルスがキーボードに直接付着することを防止することにより、キーボードの使用寿命を延長するだけでなく、収納時の体積を小さくすることができるので、持ち運び等の利便性を向上させることができる。
【考案を実施するための最良の形態】
【００１０】
　以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１１】
　図１は本考案に係るキーボードカバーの斜視図であり、図２は本考案に係るキーボードカバーの分解斜視図であり、図３は本考案に係るキーボードカバーの使用状態を示す斜視図である。
【００１２】
　図１及び図２に示すように、本考案に係るキーボードカバーは矩形の軟質フィルムからなるカバー（１０）と、該カバー（１０）の四辺に設けられると共に、下面に両面テープ（３０）が設けられる帯状の強化辺（２０）とを有する。
【００１３】
　図１及び図３に示すように、本考案に係るキーボードカバーを他人のパソコンに使用する場合は、キーボード（４０）の上面にカバー（１０）を広げて載せるだけでよい。一方、カバー（２０）を自分のパソコンに使用する場合は、キーボード（４０）の上面にカバー（１０）を載せて、両面テープ（３０）をキーボード（４０）のフレーム（５０）に粘着させる。これにより、指がキーボード（４０）の入力キーと直接接触しなくなるので感染症に感染する心配がなくなり、又、塵埃が入力キーの隙間に侵入することを防止するので、キーボード（４０）の使用寿命を延長することができる。
【００１４】
　本考案に係るカバー（１０）は、非常に薄い軟質フィルムからなるため、収納時の体積を非常に小さくでき、持ち運び等の利便性を向上させることができる。
【図面の簡単な説明】
【００１５】
【図１】本考案に係るキーボードカバーの斜視図である。
【図２】本考案に係るキーボードカバーの分解斜視図である。
【図３】本考案に係るキーボードカバーの使用状態を示す斜視図である。
【符号の説明】
【００１６】
１０　カバー
２０　強化辺
３０　両面テープ
４０　キーボード
５０　フレーム
【図１】
0003100075.tif 000003
【図２】
0003100075.tif 000004
【図３】
0003100075.tif 000005
(57)【要約】【課題】耳掃除は、耳かき用器具を耳内で掻き回すような動きにより皮膚を傷つけたり、耳内に出し入れする動きで鼓膜の破損を引き起こすなどしていた。このような痛みや危険をともなわず耳掃除が行えるようにする。【解決手段】耳内で掻き回すような動きや出し入れする動きに因る痛みや怪我を無くす。棒状の本体の先端に耳垢をかき取る部位を備え、使用者が耳内に挿入し、指先で回転させることで安全に耳垢を皮膚からかき取る。先端の形状は、回転したときに耳垢をかき取れるように３箇所以上のかき取る部分を備えた形とし、あわせて、鼓膜を損傷しないためにストッパーを取り付けることで子供や老人や病人が安心して使える安全耳かきとなる。【選択図】    図１
0003100633.tif 000002
【実用新案登録請求の範囲】
【請求項１】
棒状の本体と、前記本体の先端に耳垢を取り除く複数のかき取り部を有し、かきとり部は半円形もしくはその他の形状に成形され、かきとり部は三枚またはそれ以上の枚数が設けられ、かき取り部の取り付け方向は本体の軸方向または角度がつけられていることを特徴とする耳かき。
【請求項２】
一定の深さ以上に耳内に入らないようにするため本体の中程にストッパーがついていることを特徴とする、鼓膜を破らない請求項１に記載の耳かき。
【考案の詳細な説明】
【０００１】
【考案の属する技術分野】
耳かき時の痛みがなく、怪我をしない安全な耳かきに関するものである。
【０００２】
【従来の技術】
従来の耳かきは、棒状の先端部に耳垢をかき取る湾曲した鉤状の部位があり、この部分を耳内の皮膚に沿って掻き回すような動作や耳内に出し入れする動作を繰り返して行っていたもので、使用者の不注意で耳内を傷つけ痛みを覚えたり、入れすぎにより鼓膜を破損するなど危険をともなっていた。
【０００３】
【考案が解決しようとする課題】
耳かきをするときの動作は耳垢をかきとる湾曲した形状の部分を耳内で掻き回すような動きや耳内に出し入れする動きで耳垢を取り除こうとするため、皮膚を傷つけたり時に鼓膜の破損を引き起こすなどしていた。このような痛みや危険を伴う動きをせずに耳掃除を行えることを課題とする。使用者が耳内の任意の位置で回転させることで安全に耳掃除ができる形状に耳垢をかき取る部分を形づくり、かつ鼓膜に到達しないようストッパーを備え、前述の危険な問題点を解決し、安全に耳掃除が行えるようにするものである。
【０００４】
【課題を解決しようとする手段】
棒状の本体の先端部に３箇所以上の耳垢をかき取る部位を備えた形状に形づくり、耳内に挿入後、使用者が指先で本体を回転させ耳垢を皮膚からかき落とせるようにする。この場合２箇所では平らな棒状になってしまうので刺したり傷つけたりする可能性が高く安全性の面から３箇所以上が必要となる。さらに、鼓膜を損傷しないためにストッパーを取り付けることで前述の問題点を解決している。
【０００５】
【考案実施の形態】
棒状の本体の先端部に３箇所以上の耳垢をかき取る部位を備え、さらに鼓膜に到達しないよう適切な位置にストッパーを備える。
【０００６】
【実施例】
以下添付図面に従って実施例を説明する。
材質は綿やプラスチックなど耳に入れて支障のない材質とする。１は棒状の本体。２は耳垢を皮膚からかき取るための部分であり、耳垢を取るための部位を３箇所以上備えた形状とする。３は先端部分が鼓膜に達しないためのストッパー。使用者はストッパーより外側を持ち、指で回転させて使用する。
【００７】
【考案の効果】
耳かきにより耳内の皮膚を傷つけたり鼓膜を破損したりする心配がない。
【図面の簡単な説明】
【図１】回転させて使う安全な耳かき
【符号の簡単な説明】
１  本体
２  かき取り部
３  ストッパー
【図１】
0003100633.tif 000003
【手続補正書】
【提出日】平成15年7月10日(2003.7.10)
【手続補正１】
【補正対象書類名】明細書
【補正対象項目名】実用新案登録請求の範囲
【補正方法】変更
【補正の内容】
【実用新案登録請求の範囲】
【請求項１】
棒状の本体の先端に、耳垢を取り除くための半円形のかき取り部を複数枚備え、本体を回転させることで耳の掃除ができることを特徴とする耳かき。耳垢を取り除く部位の形状は半円形に拘わらず皮膚を傷つけない形状であれば良い。枚数は図にあるような三枚に拘わらず、それ以上の枚数でも良い。また半円形のかき取り部の取り付け方向は本体の軸方向と同方向であるが、使用目的から外れない範囲において、角度をつけて取り付けても良い。
【請求項２】
一定の深さ以上に耳内に入らないようにするため本体の中程にストッパーがついていることを特徴とする、鼓膜を破らない安全な耳かき。
(57)【要約】【課題】雨もしくは雪の時、自転車を使うにあたって自転車のサドル（椅子）が濡れて、そのままではお尻が濡れてしまうから乗れない。その為に、サドルを雨、雪から濡れない様にする工夫が必要である。【解決手段】布製もしくは皮製のケース１を面ファスナー４にて、自転車のサドルの後方に取り付ける。ケース１の中に入れてあるビニールネット２を取り出して、サドル全体を覆うように被せる。雨もしくは雪が止んだ後、又は傘を差して乗る場合に元の状態に戻す。サドル全体を覆う為、ビニールネット２の開口部にはゴム製の紐３が付いている。さらにケース１から脱落しない為に、留め金具５でゴム紐３をケース１に固定する。尚、面ファスナー４にて取り付けられているので、ケース１は取り付け、取り外しは簡単、容易である。【選択図】          図３
0003100638.tif 000002
【実用新案登録請求の範囲】
【請求項１】
布製もしくは皮製のケース１に収納されているビニールネット２で自転車のサドル全体を覆う。ケース１は背面にマジックテープ４を貼り付け、自転車のサドル後方にもマジックテープ４を貼り付ける。ケース１は、このマジックテープ４により自転車のサドル後方に取り付ける。さらに、ビニールネット２が脱落しない為に留め金５でゴム紐３をケース１に固定する。ケース１は持ち運びが出来る。
【考案の詳細な説明】
【０００１】
【考案が解決しようとする課題】
従来、雨降りの日によく見かけるのは、買い物袋を自転車のサドルに被せた風景である。いちいちバックなどから出したり、サドルの下に押し込んである買い物袋を引っ張り出してサドルに被せるという手間暇かかる事と、風などによりその買物袋が外れてしまうなど問題点を有している。
【０００２】
【課題を解決するための手段】
上記２つの問題点、手間暇かかる事と風などで外れてしまう事を一気に解決するのが、このアイデアである。ケースに内蔵されてるビニールネットを取り出して、自転車のサドルに被せるだけで済んでしまう。時間にして、ものの５秒もかからない。
しかも、ビニールネットの開口部にはゴム紐が付いているので、風などで飛ばされる心配もない。（ビニールネットとは、市販されてるいわゆる入浴用ヘアキャップである。）
【０００３】
【考案の効果】
ひとつに、雨降りの日の自転車乗りが楽しくなる。それに、急いでいる時、時間がない時など自転車から直ぐに離れる事が出来る。乗る時にも、ビニールネットをケースに収納するだけで済むという、簡単で早い動作が可能であり便利である。
【図面の簡単な説明】
【図１】ケースとビニールネットの斜視図である。
【図２】ケースとビニールネットを組み合わせた図である。
【図３】自転車のサドルに装着した図である。
【符号の説明】
１    布製もしくは皮製のケース
２    ビニールネット
３    ゴム紐（開口部）
４    マジックテープ
５    留め金
【図１】
0003100638.tif 000003
【図２】
0003100638.tif 000004
【図３】
0003100638.tif 000005
【手続補正書】
【提出日】平成15年7月31日(2003.7.31)
【手続補正１】
【補正対象書類名】明細書
【補正対象項目名】請求項１
【補正方法】変更
【補正の内容】
【請求項１】
（１）布製もしくは皮製のケース１。
（２）そのケース１に収納されているビニールネット２。
（３）ケース１の背面に、面ファスナー４が貼り付けられている。
（４）ビニールネット２は、ゴム紐３の所を留め金５で、ケース１に固定されている。
以上の構成からなるサドル濡れ防止装置。
【手続補正２】
【補正対象書類名】明細書
【補正対象項目名】図面の簡単な説明
【補正方法】変更
【補正の内容】
【図面の簡単な説明】
【図１】ケースとビニールネットの斜視図である。
【図２】ケースとビニールネットを組み合わせた図である。
【図３】自転車のサドルに装着した図である。
【符号の説明】
１  布製もしくは皮製のケース
２  ビニールネット
３  ゴム紐（開口部）
４  面ファスナー
５  留め金
(57)【要約】      （修正有）【課題】標準装備が部分的に設置されていない箇所に対し、自家用車等の同乗人が、車内で簡便に小物の取り置きが出来る装置を提供する。【解決手段】自家用車等の同乗人が車内で簡便に小物の取り置きが出来るように、置く物を接着する方法にした物置で、垂直な面が置き場所に出来る。このため置物自体には車内にほとんど場所を占有しない。【選択図】図１
0003100636.tif 000002
【実用新案登録請求の範囲】
【請求項１】
自家用車等の同乗人が、車内で簡便に小物の取り置きが出来るように、置く物を接着する方法にした物置で、垂直な面が置き場所になる。
接着はマジックテープを利用するが、接点を大きくするため厚みのあるスポンジを併用して弾力性（ひこみが出来る）をもたせることで、円筒形の物であっても、接点の接触面が広く、５００ｍｌ程度のジュース缶、ペットボトルでも接着可能である。
【請求項２】
ジュース缶、ペットボトル等の置く物は、補助用具を巻き付けて物置本体に接触させるが、巻付ける補助用具の面に摩擦の大きいゴム板を張りつけることで、ジュース缶、ペットボトル等が巻き付けた補助用具からずり落ちない。
【考案の詳細な説明】
【０００１】
【考案の属する技術分野】
本案は、自動車の同乗者が車内で扱う小物を容易に取り置きするための物置に関する。
【０００２】
【従来の技術】
自家用車には少量の物の置き場所が設置され、前部座席にはジュース缶、ペットボトルの置き場所がある。しかし、後部座席には高級車は別としてほんどない。
【０００３】
【考案が解決しようとする課題】
標準装備が部分的に設置されていない箇所に対し、本案を適用することによって装備を補うことになり、自家用車等の同乗人が、車内で簡便に小物の取り置きが出来る。
【０００４】
【課題を解決するための手段】
自家用車等の同乗人が車内で簡便に小物の取り置きが出来るように、置く物を接着する方法にした物置で、垂直な面が置き場所に出来る。このため置物自体には車内にほとんど場所を占有しない。
垂直な面でもマジックテープを用いることで接着が可能であるが、本案では垂直な面に弾力をもたせたことと、置く物と補助用具にずり落ち防止をしたことで、円筒形の物であっても、接点の接触面が広くなり、５００ｍｌ程度のジュース缶、ペットボトルも接着可能である。
【０００５】
【考案が実施の形態】、
【実施例】
本提案の接触物置は、物置本体と置くべき対象物の補助用具から構成され、利用する同乗者の前部の座席の裏側に接触物置本体を紐で取り付ける。
補助用具は、置くべき対称物に巻付け、本体と補助用具をワンタッチで接触させることで接着できる。
【０００６】
【考案の効果】
後部座席の同乗者は、ペットボトル、ジュース缶の利用に非常に不便であった。特にジュース缶に到っては、置く場所がなく、一気に飲んでしまえば問題はないが、飲み終わるまでこぼさず持つことを余儀なくされた。
この飲みかけのペットボトル、ジュース缶等を置くことができることでこの様な状態の時の不便さを解消できる。
更に、必要に応じ小物なども接着可能であり、物置本体の接着面が５０ｃｍ四方前後が利用できるので、工夫次第いろいろな物を置くことができる。
【図面の簡単な説明】
図の用語「吸着面」はマジックテープが構成する２面の内の一方を、「接着面」はもう一方の面を言う。
【図１】本図は、「接触物置」の本体及び補助用具の全体構成図でる。
【図２】本図は、「接触物置」の本体図でる。
【図３】本図は、ジュース缶等の円筒形の物に巻く補助用具である。
【図１】
0003100636.tif 000003
【図２】
0003100636.tif 000004
【図３】
0003100636.tif 000005
【手続補正書】
【提出日】平成15年9月30日(2003.9.30)
【手続補正１】
【補正対象書類名】明細書
【補正対象項目名】実用新案登録請求の範囲
【補正方法】変更
【補正の内容】
【実用新案登録請求の範囲】
【請求項１】
矩形の面ファスナーとスポンジ板を接着剤により貼合せ、上、下部に金属管等の補強棒と四隅に固定用紐を有し、円筒形の置物であっても垂直面に接着可能な、接触面に弾力性がある特徴を持った接触物置。
【請求項２】
面ファスナーとゴム板を接着剤により貼合せた、請求項１の接触物置の接触面となる面ファスナーに接触させるための補助具。
(57)【要約】【課題】従来の扇額を見直し、糸・金具・接着剤などを使用せずに、額の中で浮いて見えるように扇を額に取り付けることで、扇の美しさを再発見し、インテリアとして多方面に活躍できる新しいタイプの額を提案出来るようにすることが目的である。【解決手段】扇本来の美しさである、陰と陽、奥行きと平面（立体）、繊細さを潰すことなく表現することをポイントにすることで、新しい表現方法（仕上がった扇を糸や金具、接着剤などを用いるのではなく、扇の要を打つ行程と扇額に取り付ける行程を結合させること）が生まれ、従来の「和」の美意識に留まらず「洋」のエッセンスが加わり、現代美術に通ずる新しい感覚の扇額にした。【選択図】  図２
0003100634.tif 000002
【実用新案登録請求の範囲】
【請求項１】
糸・金具・接着剤などを使用せずに、額の中で浮いて見える
ように取り付けた扇の額。
【考案の詳細な説明】
【０００１】
【考案の嘱する技術分野】
この考案は、糸・金具・接着剤などを使用せずに、額の中で浮いて見えるように扇を額に取り付けた扇額に関するものである。
【０００２】
【従来の技術】
従来の扇額は主に、扇を額の裏板または額の背景にあたる和紙やボードなどに、糸・金具・接着剤などを使用し貼り付けた形で固定し額縁に入れたものであった。従って、立体の扇でありながら固定されることで平面的なイメージに留まりがちであり、扇本来の持つ美しさを表現するには限界があった。また、額の形状も偏りがちであった。
【０００３】
【考案が解決するための手段】
本考案は、扇本来の美しさを表現できること、額の形状が多様化できることを基本とし、扇額のイメージを替えインテリアとして幅広く活躍出来るものを作ることを課題とし研究をすすめた。
【０００４】
【課題を解決するための手段】
扇額を発展させるためには、扇本来の美しさである、陰と陽、奥行きと平面（立体）、繊細さを潰すことなく表現することをポイントにすることである。どのようなものが理想かを実験と考察の結果、仕上がった扇を別の取り付け器具（糸、金具、接着剤など）を用いるのではなく、扇の製作工程の一部（かなめ／要  取り付け行程）と扇額に取り付ける行程を結合させ仕立てることが最上であると発案した。
【０００５】
【考案実施の形態】
本考案を実施するために、留め金の種類に関し試行錯誤するのではなく、扇本来の材料に立ち返ることにした。一時的に打った扇の要を外し、要の代わりに要の口径に見合ったネジを差し、額の裏板もしくは額の背面にあたる和紙などで出来ている板紙などと一緒に取り付ける方法をとった。
【０００６】
従来の方法とは違い、扇の形状以外の付属品が無くなったこと、傷（例えば扇面に穴を開けること）を付けずしっかりととまったことは良い。しかし背面との空間がほとんど空かず、張り付いた感じはそのままであったため、次にボルトを使用してみた。
【０００７】
背面との空間はナットで調節することが出来たため、宙に浮いたように見えるようになり、扇本来の美しさである、陰と陽、奥行きと平面（立体）、繊細さを表現できるようになった。そして、額の裏板の種類を選ばず取り付けることが出来るようになった。これにより、仕立て上がりの扇の雰囲気を変える（傷や余分な部品がつく）ことなく、また背面と扇に空間が出来たことで扇本来の美しさを表現できる額となった。また、ボルトを使用することで、従来和額に納めることが多かった扇額も、「洋」の空間にもあう現代的な額装にも違和感なく納めることができた。またアバンギャルドな雰囲気を持つことで、扇を飾るという表現方法に新しい美意識が加わり、現代美術に通じる新感覚の「額装」を展開する幅を広げ、多方面で幅広く活躍できる洗練された美意識を作り上げることが出来た。
【０００８】
本考案は以上のような結果から、扇本来の美しさを表現でき、また額を多様化できる可能性を広げることが出来た。額に取り付ける材料（要）は、一般的なボルト・ナット・ワッシャーであるため、コストも安く手扱いも簡単である。
【０００９】
【実施例】
扇製作工程の要は一時的に打つ。額の裏板もしくは、額の背面にあたる和紙などで出来ている板紙などに扇を取り付ける穴を小さく開ける。一時的に打った要を外し、要の口径にあったボルトを挿し、ナットで止め背面との空間をナットで調節し、ワッシャー、取り付ける板・ボードなど、ワッシャー、ナットの順にとめる。
【００１０】
【考案の効果】
本考案は以上のような構成により、扇本来の美しさである、陰と陽、奥行きと平面（立体）、繊細さを表現することが出来た。今までの額の形状は、枠のある額で裏は壁に密着して表面しか見ることが出来なかったが、この方法を用いることで額の素材は自由になり、壁に掛けるだけでなく、置き型式の額を作成することが可能となった。
【００１１】
例えば、額全体をスケルトンにすることで、更に浮遊感を増した扇を飾ることが出来るようになる。よって扇の陰影や、扇の形の美しさだけでなく、扇の表情の豊かさを表現する事が出来た。扇を飾るという表現方法に新しい感覚、美意識が加わることで、扇の持つ光と影の美しさや、形状からくる繊細さなどは、従来の「和」のイメージから現代美術としての新感覚、「洋」の空間までも場所を選ぶことなく、多方面で幅広く活躍できる洗練された美意識を作り上げることが出来た。
【００１２】
製作工程は、扇制作時に行う行程とほぼ同じ要領であり、特別な技術や特別な材料も用いないことにより、製作時間を削減でき、価格にも貢献できた。また、表現方法を自由にした。
【図面の簡単な説明】
【図１】扇額の全体図である。
【図２】扇額の縦断面図である。
【図３】扇額の雑誌掲載図である。
【符号の説明】
１  扇面
２  扇骨
３  ボルト
４  ナット
５  ワッシャー
６  背面ボード
【図１】
0003100634.tif 000003
【図２】
0003100634.tif 000004
【図３】
0003100634.tif 000005
【手続補正書】
【提出日】平成15年10月22日(2003.10.22)
【手続補正１】
【補正対象書類名】明細書
【補正対象項目名】実用新案登録請求の範囲
【補正方法】変更
【補正の内容】
【実用新案登録請求の範囲】
【請求項１】
扇が浮遊している額の構成において、
（１）額の裏板や作品台、マット紙などを層になるよう組み合わせた背面。
（２）背面と扇を固定するために、要の口径にあったボルト、ナット、ワッシャーを使用。
（３）扇と作品台（１）との間はボルトで空間を作り固定する。
以上からなる扇レリーフ額。
【手続補正書】
【提出日】平成15年7月2日(2003.7.2)
【手続補正１】
【補正対象書類名】明細書
【補正対象項目名】実用新案登録請求の範囲
【補正方法】変更
【補正の内容】
【実用新案登録請求の範囲】
【請求項１】
要の口径にあったボルトを挿し、ナットで止め背面ボードとの空間をナットで調整し、ワッシャーで扇と背面ボードを固定する。扇と背面ボードとの間にナットで空間をつくることで、扇に直接的に、糸・金具を取り付けず額の中で扇が浮遊して見える扇額に関するものである。
(57)【要約】【課題】顕微鏡薄切切片をナイフボートよりポンプ付きナイフボート水位調装置で回収除去することなく手動で行える顕微鏡薄切切片除去器具で吸引することにより簡単かつ迅速に行え、操作性と経済性を向上できる薄切切片除去器具を提供することにある。【解決手段】円柱状のボトル１上部に吸引用パイプ２を設け、このパイプ先端は切片など吸引を行い易くするため先端チップ３が細い構造なっていると供に、手動でボトル１内を陰圧し、ボトル１が元に戻る力で薄切切片を吸引する事を特徴とする顕微鏡薄切切片除去器具にある。【選択図】            図１
0003100635.tif 000002
【実用新案登録請求の範囲】
【請求項１】
円柱状のボトル上部に吸引用のパイプを設け、このパイプ先端は切片などの吸引を行い易くするため先端が細い構造のチップになっていると供に、手動でボトルを押す事により内部を陰圧し、ボトルの形状が元に戻る力で切片を吸引する事を特徴とする顕微鏡薄切切片除去器具。
【請求項２】
円柱状のボトル上部に吸引用のパイプを設け、このパイプ端は切片などの吸引を行い易くするため先端が細い構造なっている。  使用後先端チップ部の汚れを防ぐため保護キャップを有することを特徴とする顕微鏡薄切切片除去器具。
【考案の詳細な説明】
【０００１】
【考案の属する技術分野】
この考案は、光学・電子顕微鏡用試料を固定、脱水、包埋した後、ウルトラミクロトームで切片を作製する際に用いる、ナイフボートより切片屑及び不要切片を除去する器具に関する。
【０００２】
【従来の技術】
生物を構成する組織、細胞は大量の水分を含んでおり、細胞機能観察等で採取した試料の微細構造を電子顕微鏡で観察しようとしたとき、試料を固定し、水分を除去するためにエタノール等で脱水処理した後、樹脂に浸漬して樹脂包埋したものをウルトラミクロトームで超薄切片を作製している。
【０００３】
ところで、樹脂包埋試料をウルトラミクロトームで薄切する際に、ダイヤモンドナイフなどで切片を作製している。  ナイフボートの水面に切片を作製し検鏡を行うが、不要な切片をポンプ付きのナイフボート水位調節装置などで回収除去するか、マツ毛プローブで切片を一枚一枚回収除去している。
【０００４】
【考案が解決しようとする課題】
しかしながら、従来のナイフボート水位調節装置などで回収除去する方法は商品が高価な上に電源を必要とし、マツ毛などのプローブで切片を一枚一枚回収除去する方法は時間が掛かり効率が良くないという問題がある。
【０００５】
この考案は、前記事情に着目してなされたもので、その目的とするところは、円柱状のボトル上部に吸引用のパイプを設け、このパイプ先端は切片など吸引を行い易くするため先端が細い形状構造にし、電源を必要とせず、手動で不要な薄切切片をナイフボートより除去する器具を提供するところにある。
【０００６】
【課題を解決するための手段および作用】
この考案は、前述した目的を達成するために、円柱状のボトル上部に吸引用パイプを設け、このパイプ先端は切片など吸引を行い易くするため先端が細い形構造にし、電源を必要とせず、手動で薄切切片をボトル内へ吸引回収することを特徴とする器具ある。
【０００７】
前記構成によれば、円柱状のボトル上部に吸引用のパイプを設け，手動で吸引可能な薄切切片除去器具を販売することにより、使用者は容易に不要な薄切切片を除去する事が出来る。
【０００８】
【考案の実施の形態】
以下、  この考案の実施の形態を図面に基づいて説明する。
【０００９】
図１は顕微鏡薄切切片の除去器具を示し、図２はナイフボート水面に浮いている切片を顕微鏡薄切切片の除去器具で吸引回収している状態を示す拡大斜視図である。
【００１０】
合成樹脂材料などで成形された円柱状のボトル１の上部に吸引用パイプ２と先端チップ３が設けてあり、切片を吸引する場合は一度ボトル１中間部を押し、ボトル１内の空気を排気する。  ボトル１が元の形状に戻る力を利用しボトル１内に不要切片５などを吸引回収する。  吸引する場合先端チップ３はナイフボートの側面上部などに固定し行う。  使用後先端チップ３は汚れなどを防ぐため保護キャップ４をして保管する。
【００１１】
【考案の効果】
以上説明したように、この考案によれば、顕微鏡薄切切片除去器具はボトル内を手動で陰圧にし、ボトルが元の形状に戻る力を利用してボトル内に吸引除去するので非常に簡単かつ迅速に行え、電源を必要としないので操作性と経済性を向上できるという効果がある。
【図面の簡単な説明】
【図１】顕微鏡薄切切片の除去器具を示した図である。
【図２】ナイフボート水面に浮いている薄切切片を除去器具で吸引除去している状態を示す拡大斜視図である。
【図３】保護キャップで先端チップを保護している状態を示した図である。
【符号の説明】
１…ボトル
２…吸引用パイプ
３…先端チップ
【図１】
0003100635.tif 000003
【図２】
0003100635.tif 000004
【図３】
0003100635.tif 000005
【手続補正書】
【提出日】平成15年10月20日(2003.10.20)
【手続補正１】
【補正対象書類名】明細書
【補正対象項目名】実用新案登録請求の範囲
【補正方法】変更
【補正の内容】
【実用新案登録請求の範囲】
【請求項１】
円柱状のボトル上部に吸引用のパイプを設け、このパイプ先端は切片などの吸引を行い易くするため先端が細い構造の先端チップになっていると共に、手動でボトルを押す事により内部を陰圧にし、ボトルの形状が元に戻る力で切片を吸引する事を特徴とする顕微鏡薄切切片の除去器具。
【請求項２】
請求項１において、前記パイプに先端チップに嵌合して先端チップの汚れを防ぐための保護キャップを設けたことを特徴とする顕微鏡薄切切片の除去器具。
(57)【要約】      （修正有）【課題】  主に屋外において野菜や花等の害虫である羽虫を駆除するための、捕虫器を提供する。【解決手段】  羽虫を捕獲する粘着シート部分１と、それを雨から保護する屋根部分２から成る。更に、本捕虫器の形成にあたっては、運び易く作成コストも低減出来るように、一枚のシートで組み立てることが出来るようにした捕虫器である。【効果】  家庭菜園などに吊り下げるだけで害虫の成虫を捕獲でき、害虫の個数を減らし、ひいては幼虫による野菜への被害を減じることが出来、よって、農薬散布量を減らしたり無くしたり出来るようになる。【選択図】  図１
0003100615.tif 000002
【実用新案登録請求の範囲】
【請求項１】
鉛直方向に垂らされた捕虫用粘着シートの上部に、前記シートに対して(略)直交する雨よけの屋根を備えたことを特徴とする捕虫器。
【請求項２】
請求項１の捕虫器において、粘着シート部分、屋根部分、更に屋根が曲がらないための屋根の補強部分及び捕虫器を吊り下げるための取付部分の各部分が一枚のシートで構成されており、このシートを折り曲げることで各部分が一体となりそれぞれの機能を果たせるように構成した捕虫器。
【考案の詳細な説明】
【技術分野】
【０００１】
本考案は野菜や花などの害虫である、羽虫駆除の為の捕虫器に関するものである。
【背景技術】
【０００２】
従来の屋外で使う羽虫用捕虫器は、畑に吊り下げられているビン状のものや、蛍光灯などの光源を持ったものなどである。また、屋外用の粘着式虫取りシートでは、三角柱や四角柱を横にした筒状のもので、底部に粘着シートのあるものが考案されているが、捕獲部分の割合が少なくて効率がよくない。
【０００３】
この改善のために、ハウス内で使われている両面に粘着部分を設けた虫取りシートに屋根をつけ、単純構造で屋外でも利用できる捕虫器を考えた。
【考案の開示】
【考案が解決しようとする課題】
【０００４】
従来の方法だと、粘着シートだけでは屋外では使い難いし、ビン式の捕虫器では、入った虫を外に出さないための方法が複雑であり、その分容器の構造や形態が複雑にならざるをえない。また、光源を持ったものでは装置が大掛かりとなり、筒状のものは装置全体の表面積に対して捕獲部分の面積割合が小さくて、効率が悪い。
【０００５】
本考案はこの様な問題点に鑑みてなされたものであり、その目的とするところは、構造が単純で、手軽に何処にでも設置でき、効率の良い捕虫器を提供できるようにすることである。
【課題を解決するための手段】
【０００６】
上記目的を達成するために、本考案においては、両面共に粘着面となっているシートを利用して、屋外でも使えるように粘着シートの上面に雨除けの屋根をつけることとする。
【０００７】
また、粘着シート部分と屋根部分が風雨等で分離しないように、1枚のシートに両部分を具えさせ、それを組み立てることで捕虫器が作成出来るようにしている。
【考案の効果】
【０００８】
本捕虫器は、屋根がついているため粘着部分が雨に濡れ難いので粘着効果が落ちない。また、粘着部分が外に向いて両面にある為、筒状のもので底部1箇所にしか粘着部分がないものより、多くの捕虫面積がとれる。
【考案を実施するための最良の形態】
【０００９】
考案の実施の形態について図面を参照して説明する。
図―１は本考案の全体図であり、形状は粘着面１を持った羽虫捕獲部分と、同部分を雨などから保護する屋根部分２で形成されている。図―２及び図―３は本考案の組み立て前の状態であり、捕虫のための粘着シート部分と屋根部分が1枚のシートとして一体化しており、２つの部分が組み立て後も分離しないようになっている。
【００１０】
本考案の捕虫器の基本素材は、厚紙程度以上の堅さを持ち、かつ水に溶けたり崩れたりしない耐水性を具えたシート状のものであり、これ1枚を組み立てることにより、羽虫等の害虫を捕獲する捕虫器を形成するものである。
【００１１】
組み立て完了時の形状は、羽虫を粘着面１により捕獲する部分、その部分を保護する屋根部分２、屋根を曲がらないように支える補強部分３及び捕虫器を吊り下げる紐を結びつける取り付け部４の4つの部分を備えたものとなる。
また、粘着面の裏側が接合する為の粘着部５及び補強部分３を屋根部分２に接着する為の粘着部６の２箇所の接着部分を持つ。
【００１２】
組み立て前のシートは、各部分が形成できるように予め切り込み７及び折り目８を設けておく。
【００１３】
粘着面１の色は黄色等の羽虫が飛来し易い色彩のものとし、粘着剤の上には剥離紙を被せ、組み立て時に粘着剤が手などに付着するのを防ぐ。
また、組み立て前のシートにおいては、接着部分の粘着面５及び６においても同様の剥離紙を被せ、接着剤が目的の箇所以外に付着するのを防ぐ。
【００１４】
製作についても、１枚のシートで簡単に組み立てられるので、嵩張らなくて、製作コストも低くできる。
【産業上の利用可能性】
【００１５】
本考案の活用例としては、菜園などの害虫防除用に、支柱に吊り下げるなどして飛来する害虫の成虫を粘着捕獲することにより、害虫の個数を減らすことが出来、しいては農薬使用を減らしたり無くしたりすることが可能となる。
【図面の簡単な説明】
【００１６】
【図１】捕虫器全体の斜視図である。
【図２】組み立て前の捕虫器の展開図で粘着面のある側である。
【図３】組み立て前の捕虫器の展開図で粘着面のない側である。
【図４】組み立て途中の捕虫器の斜視図である。
【符号の説明】
【００１７】
１    虫を捕らえるための粘着面
２    粘着面を雨などから保護するための屋根部分
３    屋根部分が曲がらないように支える補強部分
４    本捕虫器を吊り下げるための紐などを結ぶ取り付け部分
５    本捕虫器を組み立てる過程で粘着面の裏側を接合させる為の粘着面
６    本捕虫器を組み立てる過程で屋根と補強部を接着させる為の粘着面
７    取り付け部分形成のための切り込み
８    各部分を形成し易くする為の折り目
【図１】
0003100615.tif 000003
【図２】
0003100615.tif 000004
【図３】
0003100615.tif 000005
【図４】
0003100615.tif 000006
(57)【要約】【課題】刺繍加工の仕上りをより繊細で，クオリティーの高い物を製作する為に、今ままでとは違った方法で、刺繍を製作する。又、従来のように、型を作った後に試し打ちを行い、よくない箇所を手直しを行い、また試し打ちを行う。といった様に，２度手間な事を解決する。【解決手段】刺繍機（１）にカメラ（２）を取り付け、下絵（５）と、刺繍の仕上がり状況を見ながら型作成機（４）により刺繍機の操作を行えるようにする。【選択図】図１
0003100627.tif 000002
【実用新案登録請求の範囲】
【請求項１】
（イ）  刺しゅう機（１）、（１）に縫製箇所を撮影できる様にカメラ（２）、（２）を取り付ける。
（ロ）  カメラ（２）、（２）で、撮影した映像を，モニター（３）、（３）でみる。縫製状況を見ながら刺繍型作成機（４）、（４）で、刺繍機を操作し、同時にその作成データを型として、保存できる。
【考案の詳細な説明】
この考案は、刺繍機に取り付けたカメラにより操作人が、モニターで、縫製状況を見ながら刺繍機を手もとの刺繍型作成機で、操作しオンタイムで刺繍することが出来る。また、そのデータを型として保存できる。
【０００１】
【考案の属する技術分野】
刺繍加工
【０００２】
【従来の技術】
従来、機械刺繍をする場合は、絵、柄、等の下絵をもとに、型作成機で、いったん作成した後、あらためて刺繍機に読みとらせ、それから刺繍すると言うものであった。
【０００３】
【考案が解決しようとする課題】
本考案はオンタイムで刺繍をしながらモニターで、縫製状況をみながら刺繍機を操作でき、刺繍の型を必要とせずそのまま下絵に対し刺繍することが出来ると言う事で、これにより一旦作った型を再度手直しする手間が省く事ができ、又、刺繍機の縫製範囲以上に大きな柄などでも、容易に柄をつなぎあわす事が出来る。
【０００４】
【課題を解決するための手段】
刺繍機に（１）、（１）に縫製箇所を撮影できる様にカメラ（２）（２）を取り付け、モニター（３）、（３）で確認する事ができる。この映像を元にして刺繍を型作成機（４）、（４）を操作し刺繍をしていく。そのデータを型として保存できる。
【０００５】
【作用】
生地などに下絵を書いた物（５）、（５）を刺繍機（１）、（１）にセットする。カメラ（２）、（２）の作用により下絵（５）、（５）を見ながら下絵（５）、（５）自身に刺繍していくことができ、そのデータを型として保存できる。
【０００６】
【実施例】
以下、実施例について説明する。
生地などに下絵を描いた物（５）、（５）を、刺繍機（１）、（１）にセットする。下絵（５）、（５）をカメラ（２），（２）によりモニター（３）、（３）で見ながら下絵（５），（５）自身に直接、刺繍していく、そのデータを型として保存できる。
以上が、本考案の一実施例である。
【０００７】
【本考案の効果】
本考案は従来の刺繍型を作成した後、型を刺繍機にセットし、それから刺繍を行ってきたやり方ではなく。
下絵自身を、刺繍機に取り付けたカメラによりモニターで、見ながらそのまま刺繍していくので、手間が大幅に縮小でき、また、刺繍機の縫製範囲以上の物に対しても、生地をずらし、また、あらためてモニターを見ながら作成できるので、より大きな作品を作るのにも適している。
【図面の簡単な説明】
【図１】本考案の使用例  斜視図
【図２】本考案の斜視図
【符号の説明】
１．  刺繍機
２．  カメラ
３．  モニター
４．  型，作成機及び刺繍機操作機
５．  下絵などを描いた生地
【図１】
0003100627.tif 000003
【図２】
0003100627.tif 000004
【手続補正書】
【提出日】平成15年3月14日(2003.3.14)
【手続補正１】
【補正対象書類名】明細書
【補正対象項目名】実用新案登録請求の範囲
【補正方法】変更
【補正の内容】
【実用新案登録請求の範囲】
【請求項１】
（イ）刺しゅう機（１）、（１）に縫製箇所等を撮影できる様にカメラ（２）、（２）を取り付ける。
【手続補正書】
【提出日】平成15年7月17日(2003.7.17)
【手続補正１】
【補正対象書類名】明細書
【補正対象項目名】実用新案登録請求の範囲
【補正方法】変更
【補正の内容】
【実用新案登録請求の範囲】
【請求項１】
（イ）刺しゅう機（１）、（１）に縫製箇所等を撮影できる様にカメラ（２）、（２）を取り付ける。以上の構成からなるカメラ付き刺しゅう機。
【手続補正２】
【補正対象書類名】明細書
【補正対象項目名】考案の詳細な説明
【補正方法】変更
【補正の内容】
【考案の詳細な説明】
この考案は刺しゅう機に取り付けたカメラにより操作人がモニターで、縫製状況を見ながら刺しゅう機を手もとの刺しゅう型作成機で操作し、オンタイムで刺しゅうする事ができる。




【手続補正書】
【提出日】平成15年10月29日(2003.10.29)
【手続補正１】
【補正対象書類名】明細書
【補正対象項目名】実用新案登録請求の範囲
【補正方法】変更
【補正の内容】
【実用新案登録請求の範囲】
【請求項１】
（イ）刺しゅう機（１）、（１）に縫製箇所等を撮影できる様にカメラ（２）、（２）を取り付ける。これにより縫製箇所を撮影可能なカメラを取り付けたことを特徴とするカメラ付き刺しゅう機。
(57)【要約】      （修正有）【課題】首輪、鎖、衣類等を一つにまとめた犬用ファショングッツを提供する。【解決手段】従来のグッツを一体化することで、より多く機能性をふくみ、便利さと、ファッション感覚をそなえることで、高齢層には使いやすさと、若い層にはファッション感覚で対応できる。【選択図】図２
0003100623.tif 000002
【実用新案登録請求の範囲】
【請求項１】
皮、布を素材にし、こがた犬のサイズに素材を切る、両足の部分を切り抜きに背中で、革ひも、ボタンでまとめる、背中の前後にステンレスの輪を固定さることで鎖の取り外しが簡単に出来、また、鎖の部分を同じ素材（皮）を使用鎖の長さを自由に伸び縮みさせる、またショルダーとして肩から下げることでペットを抱えるにも腕がつかれず子供から大人までが快適に散歩を楽しめる便利さとファション感覚が一体化した小型犬用ショルダータイプファショングッツで（用品）ある
【考案の詳細な説明】
【技術分野】
【０００１】本考案は皮、布を素材にしペット用、首輪、鎖、衣類等を一つにまとめたペット用万能グッツ（用品）である、
【背景技術】
【０００２】従来のペットグッツ（用品）は、鎖、首輪、衣類等が独立し商品かされ便利さ、ファション的にも欠けている、
【考案の開示】
【考案が解決しようとする課題】現在、高齢化が進んでいるこの国では愛犬家の多くは年齢層がたかく、ペットを子供のように可愛がるお年寄りが多い、
また、最近、若者の間で流行やファション感覚で飼う飼い主も少なくありません、
【考案が解決するための手段】
本考案は従来ののグッツ（用品）を一体化することで、より多く機能性をふくみ便利さと、ファション感覚をそなえることで、高齢層には使いやすさと、若い層には、ファション感覚で対応できる、
【図面の簡単な説明】
【図１】図面１、を〜示した平面図である。
【図２】図面２、を〜示した完成図である。
【図１】
0003100623.tif 000003
【図２】
0003100623.tif 000004
(57)【要約】      （修正有）【課題】臀部を持ち上げる事なく、簡単に空間が作れるので苦労が少なく、より使いやすい介護ベッドを提供する。【解決手段】ベット下半身の部分はコロの上を滑って移動し、中央部分は数個の関節を持っていて下方に折り曲げ易い様に設定する。ベットの足の部分から頭部方向に向かって力を加えると電動又は手動でベットは下の方に折り曲がる。即ちベットは中央部分で下方に向かって空間を作る。【選択図】図１
0003100628.tif 000002
【実用新案登録請求の範囲】
【請求項１】
上面の足方半分が自由に下方向に下げられる様になったベット
【考案の詳細な説明】
【０００１】
【産業上の利用分野】
医療、衛生に関するものである。
【０００２】
【従来の技術】
古来ベットは夜眠る時に用いられているが、病人、老人は昼間も用いている。その生活に対する役割は大なるものがある。そこで安全で気持ちよい様に、便利な様にと色々と工夫されて来た。木製、金属製等があり、弾力性があり堅牢な骨格を持ち、ふわふわした布団、まっとを用い、落ちない様周りに柵を設けたり、点滴瓶が掛けられるようにしたり、色々工夫されてきた。
【０００３】
【本考案が解決しょうとする課題】
今までベットは色々と工夫されて来たが、寝たぎりの老人のおしめ交換の時には、しばしば不自由な事があった。すなわちその場合には、老人の下半身を持ち上げて、おしめを交換していたが、下半身を持ち上げる事は大きな力を要する事で、力の弱い人にとっては大きな負担となっていたのである。それがもっと容易く簡単にすることが出来れば介護人にとって大きな福音となるとおもわれていたのである。
【０００４】
おしめは元来臀部の皮膚表面とマットとの間に存するものであり、おしめの着脱はその隙間の空間でおこなわれるものである。そして腰の回りを取り囲んだおしめの着脱は体重のかかっていない部分は容易に出来るが、体重のかかっている部分は簡単には行かないのである。即ち臀部と表面とマットとの空間が狭く、その狭い空間におしめを入れ込む事はなかなか難しい事なのである。
【０００５】
その狭い空間に対して、介護人はおしめ交換時に臀部を上方に持ち上げて、広い空間を作り、おしめをその空間に入れ込むのである。故に介護人は臀部を持ち上げるのに大きな力を要し再々の交換が苦痛になるのである。そこで力の弱い介護人にとっても、たやすい仕事となる事が望ましいのである。
【０００６】
【課題を解決する為の手段】
そこで此の臀部表面とマットとの間の空間を広くする様に、腰を持ち上げる代わりにマットを下方に十分低く下げる事をするのである。即ち広い隙間が出来ればおしめ交換は容易く行われるのである。
【０００７】
そこでそのベットを下方に低く下げるにはベットの下半身の部分に下方に低く下げる工夫をするのである。即ち
【図１】の如くベット下半身の部分はコロの上を滑って移動し、中央部分は数個の関節を持っていて下方に折り曲げ易い様に設定するのである。ベットの足の部分から頭部方向に向かって力を加えると｛電動又は手動｝でベットは下の方に折り曲がるのである。即ちベットは中央部分で下方に向かって空間を作る事になるのである。
【０００８】
【実施例】
【図２】の如くベットの下半身の部分は滑り易い様にコロがあり、下部より頭部に向かって力を加えれば｛電動又は手動｝ベットは中央部で下方に折り畳んで低く下がるのである。その下方に低く曲がった部分の上に老人の臀部があればおしめの交換は容易く出来るのである。
【０００９】
【考案の効果】
おしめ交換に大変な労力を要するのは、臀部を持ち上げて臀部とベットとの間の空間を作り、その空間におしめを着脱する時である。本考案のベットを利用すれば臀部を持ち上げる事なく簡単に空間が作れるので労力が少なくてすむのである。
【図面の簡単な説明】
【図１】斜位図                  Ａ…コロ
Ｂ…ベット
Ｃ…関節
【図２】斜位図                  Ａ…コロ
Ｂ…ベット
Ｃ…関節
【図３】側面図                  Ａ…コロ
Ｂ…ベット
Ｃ…関節
【図４】側面図                  Ａ…コロ
Ｂ…ベット
Ｃ…関節
Ｄ…マット
Ｅ…人体
【図５】正面図                  Ａ…コロ
Ｂ…ベット
Ｃ…マット
【図１】
0003100628.tif 000003
【図２】
0003100628.tif 000004
【図３】
0003100628.tif 000005
【図４】
0003100628.tif 000006
【図５】
0003100628.tif 000007
【手続補正書】
【提出日】平成15年7月24日(2003.7.24)
【手続補正１】
【補正対象書類名】明細書
【補正対象項目名】実用新案登録請求の範囲
【補正方法】変更
【補正の内容】
【実用新案登録請求の範囲】
【請求項１】
ベット中央部において足部方向に向かって巾約４０ｃｍ長さ約４０ｃｍの陥凹部が出
来る様になったベット
【手続補正２】
【補正対象書類名】明細書
【補正対象項目名】図面の簡単な説明
【補正方法】変更
【補正の内容】
【図面の簡単な説明】
【図１】斜位図
【図２】側面図
【図３】水平面図
【符号の説明】
ａ‥‥‥‥  固定部
ｂ‥‥‥‥  移動部
ｃ‥‥‥‥  陥凹部
ｄ‥‥‥‥  小車輪
ｅ‥‥‥‥  マット
ｆ‥‥‥‥  ベット


【手続補正３】
【補正対象書類名】図面
【補正対象項目名】全図
【補正方法】変更
【補正の内容】
【図１】
0003100628.tif 000008
【図２】
0003100628.tif 000009
【図３】
0003100628.tif 000010
【手続補正書】
【提出日】平成15年10月6日(2003.10.6)
【手続補正１】
【補正対象書類名】明細書
【補正対象項目名】実用新案登録請求の範囲
【補正方法】変更
【補正の内容】
【実用新案登録請求の範囲】
【請求項１】
長方形の短辺において、足部に車を持った長方形の切り込み部分を有する構造になつた介護用ベット。